(57)【要約】【課題】取付け枠に対する着脱操作性が優れた空気清浄ユニット並びに送風装置を提供する。【解決手段】送風装置９に取り付けられた取付け枠７に着脱自在に装着されるとともに、下部に把手８を有し、前記把手８の中心を、空気清浄ユニット本体の長手方向の中心より送風装置９の取付け枠７が取り付けられた側と同一方向にずらして設けたもので、空気清浄ユニット６の着脱作業をスムーズに行なうことができると共に、無理な力が作用しないので、空気清浄ユニット６を保持する部分が擦り減ることもなく、品質の向上、寿命の延長が図れる。【選択図】図２
2005195219.tif 000002
【特許請求の範囲】
【請求項１】
送風装置に取り付けられた取付け枠に着脱自在に装着されるとともに、下部に把手を有し、前記把手の中心と、空気清浄ユニット本体の長手方向の中心をずらしたことを特徴とする空気清浄ユニット。
【請求項２】
送風装置の取付け枠が取り付けられた側と同一方向に把手をずらした請求項１記載の空気清浄ユニット。
【請求項３】
送風ファンと、請求項１又は２記載の空気清浄ユニットと、前記空気清浄ユニットが着脱自在に装着される取付け枠を備えた送風装置。
【発明の詳細な説明】
【技術分野】
【０００１】
本発明は、空気中の塵埃などを捕集する空気清浄ユニット及び送風装置に関するものである。
【背景技術】
【０００２】
従来の空気清浄ユニットについて図４〜６を用いて説明する。
【０００３】
図４において、１は、塵埃を捕集する空気清浄ユニットで、２は、空気調和機や空気清浄機等の送風装置９に取りつけられると共に前記空気清浄ユニット１が着脱自在に装着される取付け枠である。３は、空気清浄ユニット１を取付け枠２から離脱あるいは装着する際に使用される把手で、空気清浄ユニット１の下部の長手方向における中心位置に設けられている（例えば、特許文献１参照）。
【０００４】
この把手３の位置は、単純に空気清浄ユニット１という固体との対称性・整合性を保つため、もしくは意匠的に決められた位置である。
【特許文献１】特開２００３−７１３２１号公報
【発明の開示】
【発明が解決しようとする課題】
【０００５】
人は、空気清浄ユニット１を取付け枠２から離脱または装着する操作を行なう場合、一般に送風装置９の中心に立ち、そのまま手を伸ばして左あるいは右側の空気清浄ユニット１の把手３に手を掛ける。
【０００６】
例えば、図５のように、送風装置９の右側の送風回路内に取付け枠２が取り付けられ、その取付け枠２から空気清浄ユニット１を離脱する場合、把手３に均等に力をかけているつもりでも潜在意識の中で力のベクトルは矢印で示されるように操作本人自身の中心方向に向くような作用が働く。
【０００７】
Ｆ１は実際に作用する力、Ｆ２は空気清浄ユニット１を取付け枠２から離脱するための力、Ｆ３は離脱を妨げる力である。ここで仮にＦ２の力を１０とし、Ｆ３の力の作用でＦ２の力が把手３より左右側にそれぞれ６：４の力で振り分けられると仮定した場合、図６に示すように、把手３の左側に６の力、右側に４の力が働くことになる。このことからも明らかなように、空気清浄ユニット１の把手３の左側に負担がかかり、空気清浄ユニット１の着脱操作が不安定になる。
【０００８】
このため、空気清浄ユニット１の右側面あるいは左側面と取付け枠２の内側の面４ａ、４ｂとが接触しこすれるために、空気清浄ユニット１の離脱または装着が困難になるという課題を有していた。
【０００９】
また、このような状況で、空気清浄ユニット１を無理に離脱または装着しようとすると取付け枠２の空気清浄ユニット１を保持する嵌合部に悪影響を及ぼし、自重で空気清浄ユニット１が取付け枠２から外れ送風装置９の故障の原因となることがあった。
【００１０】
本発明は、前記従来の課題を解決するもので、送風装置に取り付けられた取付け枠に対して離脱または装着性に優れた空気清浄ユニットと、それを用いた送風装置を提供することを目的とする。
【課題を解決するための手段】
【００１１】
前記従来の課題を解決するために、本発明の空気清浄ユニットは、送風装置に取り付けられた取付け枠に着脱自在に装着されるとともに、下部に把手を有し、前記把手の中心と、空気清浄ユニット本体の長手方向の中心とずらしたもので、例えば、送風装置の左側の送風回路内に空気清浄ユニットが装着される場合は空気清浄ユニットの中心から左寄りに、また逆の場合は右よりにずらして把手を設けることにより、空気清浄ユニットの着脱作業をスムーズに行なうことができる。また、無理な力が作用しないので、空気清浄ユニットの保持部の嵌合部が擦り減ることもなく、品質の向上、寿命の延長が図れる。
【００１２】
また、本発明の送風装置は、送風ファンと、請求項１又は２記載の空気清浄ユニットと、前記空気清浄ユニットが着脱自在に装着される取付け枠を備えたもので、空気清浄ユニットの着脱が容易で、しかもその空気清浄ユニットの取り付け部の磨耗も少ない送風装置を提供する事ができる。
【発明の効果】
【００１３】
本発明の空気清浄ユニットは、着脱操作が違和感なくスムーズに行なえると共に、空気清浄ユニットと取付け枠の保持嵌合部の磨耗を軽減し、品質不良をなくすことができる。
【発明を実施するための最良の形態】
【００１４】
第１及び第２の発明は、送風装置に取り付けられた取付け枠に着脱自在に装着されるとともに、下部に把手を有し、前記把手の中心と、空気清浄ユニット本体の長手方向の中心とをずらしたもので、例えば、送風装置の左側の送風回路内に空気清浄ユニットが装着される場合は空気清浄ユニットの中心から左寄りに、また逆の場合は右よりにずらして把手を設けることにより、空気清浄ユニットの着脱作業をスムーズに行なうことができる。
また、無理な力が作用しないので、空気清浄ユニットの保持部の嵌合部が擦り減ることもなく、品質の向上、寿命の延長が図れる。
【００１５】
第３の発明は、送風ファンと、請求項１又は２記載の空気清浄ユニットと、前記空気清浄ユニットが着脱自在に装着される取付け枠を備えたもので、空気清浄ユニットの着脱が容易で、しかもその空気清浄ユニットの取り付け部の磨耗も少ない送風装置を提供する事ができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気清浄ユニットと取付け枠との組み立て状態を示す斜視図、図２は、同空気清浄ユニットを取付け枠を介して設けた送風装置の正面図である。
【００１８】
なお、上記従来例と同一部分については、同一符号を付してその説明を省略する。
【００１９】
図１において、６は、塵埃を捕集する空気清浄ユニットで、７は、送風ファン（図示せず）などを内蔵する空気調和機や空気清浄機等の送風装置９に取りつけられると共に前記空気清浄ユニット６が着脱自在に装着される取付け枠である。図２は、上記空気清浄ユニット６を、送風装置９の右側の送風回路内に装着した例を示すもので、８は、空気清浄ユニット６を取付け枠７から離脱あるいは装着する際に使用される把手で、空気清浄ユニット６の下部に一体的に設けられると共にその中心は、集塵ユニット６の長手方向の中心より右寄りに配設されている。
【００２０】
この把手８の位置は、操作本人が無意識に自分自身の中心方向に力のベクトルを向ける習性を考慮して設定したものである。尚、この位置は空気清浄ユニット６の中心から何ミリの位置かという制限はない。
【００２１】
このように、把手８の位置を中心からずらして右寄りの位置に配設すると、図３に示しように把手８の左側に６の力、右側に４の力が働くが、空気清浄ユニット６を１０分割した場合、単位１分割当りでは、把手８の左側は１の力、右側も１の力が働きＦ２の力は均等に分散される。
【００２２】
以上のように、本実施の形態によれば、空気清浄ユニット６の把手８の位置を中心よりずらすことにより、空気清浄ユニット６の着脱操作が容易になり、また、取付け枠７と空気清浄ユニット６との嵌合部にも無理な力が生じないのでその部分での寿命を延ばし品質向上を図ることができる。
【産業上の利用可能性】
【００２３】
以上のように、本発明にかかる空気清浄ユニットは、着脱操作性に優れているので、比較的高い位置に設置された空気清浄装置や換気扇のエアフィルターの着脱操作性を向上させる等の用途にも適用できる。
【図面の簡単な説明】
【００２４】
【図１】本発明の実施の形態１における空気清浄ユニットと取付け枠との組み立て状態を示す斜視図
【図２】同空気清浄ユニットを取りつけた送風装置の正面図
【図３】同空気清浄ユニットの取り外し時の力の作用図
【図４】従来の空気清浄ユニットと取付け枠の組み立て品の斜視図
【図５】同空気清浄ユニットの取り外し時の力の分布図
【図６】同空気清浄ユニットの取り外し時の力の作用図
【符号の説明】
【００２５】
６    空気清浄ユニット
６ａ    本体
７    取付け枠
８    把手
９    送風装置
【図１】
2005195219.tif 000003
【図２】
2005195219.tif 000004
【図３】
2005195219.tif 000005
【図４】
2005195219.tif 000006
【図５】
2005195219.tif 000007
【図６】
2005195219.tif 000008